(57)【要約】【課題】  放送受信装置で受信した楽曲を、他の音楽ソースから、より容易に再取得するための放送受信装置を提供する。【解決手段】  放送受信装置２０は、ＦＭ多重放送を受信し受信状況を出力するＦＭチューナ２１と、ＦＭ多重デコーダ２２と、音楽信号が一定期間以上無信号でＳレベルがＳレベル基準値より低い場合に曲間を検出する無音検出部２３と、タイトルやアーティストの変化を検出し楽曲の終了時点を判定する曲判定手段とを備えた制御部２４とを備える。無音検出部２３が曲間を検出し、制御部２４が楽曲の終了時点を判定した場合、制御部２４は、放送された楽曲のタイトルやアーティスト名等に関するデータを通信装置４０に送信し、この通信装置４０を用いて音楽配信サイト５０から音楽データをダウンロードする。そして、この音楽データをデコード処理部２７によりデコードし、音声出力部２６により音楽を再生する。【選択図】      図１
2006128738.tif 000002
【特許請求の範囲】
【請求項１】
主音声信号に付加情報を重畳した放送波を受信する放送受信装置において、
前記放送波を受信し主音声信号を分離する同調手段と、
主音声信号に重畳されている重畳信号をデコードし、楽曲識別データを抽出する多重デコード手段と、
前記楽曲識別データの変化により楽曲の変化を検出する曲判定手段と、
前記曲判定手段により楽曲の変化を検出した場合、受信した楽曲識別データに基づいて、接続可能な音楽ソースから音楽データを取得する楽曲再取得手段と、
前記同調手段から出力された音楽信号と、前記楽曲再取得手段により取得した音楽データに基づく音楽信号とをそれぞれ用いて音声を出力する出力手段と
を備えたことを特徴とする放送受信装置。
【請求項２】
通信回線を介して送受信可能な通信手段を更に備え、
前記楽曲再取得手段は、
前記曲判定手段により楽曲の変化を検出した場合、受信した楽曲識別データを前記通信手段を介して音楽配信サイトから音楽データを取得することを特徴とする請求項１に記載の放送受信装置。
【請求項３】
前記同調手段は、前記放送波の受信状況を出力し、
前記放送受信装置は、
前記同調手段から出力される受信状況から、楽曲の受信状況が悪くなったことを検出する受信状況判定手段をさらに備え、
前記楽曲再取得手段は、
前記受信状況判定手段により前記楽曲の受信状況が悪くなったことを検出した場合に、前記音楽ソースから音楽データを取得するための処理を行うことを特徴とする請求項１又は２に記載の放送受信装置。
【請求項４】
音楽データを記録する記録手段をさらに備え、
前記同調手段からの音楽信号に基づいて音楽データを前記記録手段に記録する手段と、
前記受信状況判定手段により前記楽曲の受信状況が悪くなったことを検出した場合に、前記楽曲再取得手段により前記音楽ソースから取得した音楽データを、前記記録手段に記録した音楽データと入れ換えて前記記録手段に記録する手段とをさらに備えたことを特徴とする請求項３に記載の放送受信装置。
【請求項５】
ユーザからの指示を受け付ける入力手段をさらに備え、
前記楽曲再取得手段は、前記入力手段によって入力されたユーザからの指示に従って前記音楽ソースから音楽データを取得するための処理を行うことを特徴とする請求項１〜４のいずれか１つに記載の放送受信装置。
【請求項６】
主音声信号に付加情報を重畳した放送波を受信する放送受信装置において、
前記放送波を受信し主音声信号を分離するとともに前記放送波の受信状況を出力する同調手段と、
主音声信号に重畳されている重畳信号をデコードし、楽曲識別データを抽出する多重デコード手段と、
前記主音声信号と前記受信状況とを用いて曲間を検出することにより楽曲の変化を検出する手段と、
前記楽曲の変化を検出した場合、前記楽曲の変化の検出前に受信した楽曲識別データに基づいて、接続可能な音楽ソースから音楽データを取得する楽曲再取得手段と、
前記同調手段から出力された音楽信号と、前記楽曲再取得手段により取得した音楽デー
タに基づく音楽信号とをそれぞれ用いて音声を出力する出力手段と
を備えたことを特徴とする放送受信装置。
【発明の詳細な説明】
【技術分野】
【０００１】
本発明は、放送受信装置に関し、より詳しくは、受信した放送に含まれる楽曲を再取得可能な放送受信装置に関する。
【背景技術】
【０００２】
従来、ＦＭ多重放送等の多重放送では、単に音声信号を送信するだけでなく、各種データを搬送波に重畳して送信している。このようなデータとして、例えば、放送番組に関するデータも送信されており、音楽番組では、例えば、放送中の楽曲のタイトルやアーティスト名等が送信可能である。このデータを多重受信装置で受信して、多重受信装置に内蔵される液晶表示装置等に放送中の楽曲のタイトルやアーティスト名等を表示する等に利用可能である。
【０００３】
また、従来より、音楽を通信で配信するサービスがある。このようなサービスとして、例えば、インターネット上の音楽配信サイトがインターネット経由で音楽データを配信するものがある。このような音楽データは、タイトル、アーティスト名等を用いて検索を行うことにより、音楽配信サイトから携帯電話機等にダウンロードすることができる。
【０００４】
一方、ラジオを受信する場合に、電界強度により受信状況を検知し、受信状態に応じて処理を行う装置が開示されている（例えば、特許文献１参照。）。この特許文献１に記載の装置は、電界強度が弱い場合、すなわち受信状況が悪い場合、音響信号を記録しない。
【特許文献１】特開２００１−１３５０１６号公報（第５−７頁）
【発明の開示】
【発明が解決しようとする課題】
【０００５】
しかし、ＦＭ放送等を車載用の放送受信装置で聴く場合、ＦＭ放送の受信状況が安定しておらず、ビル街走行でマルチパス（ノイズ）が発生したり、短いトンネルの通過などで音切れを起こし、ユーザが気に入った楽曲がクリアに聞けない場合がある。
【０００６】
一方、受信したＦＭ放送を録音できる車載用の放送受信装置においては、ノイズ、音切れを起こした曲がそのまま録音され、ユーザが気に入った楽曲をクリアに再生できない場合がある。また、上記特許文献１の装置では、受信状況が悪かった場合、その楽曲を取得できない。
【０００７】
本発明は、上記問題点を解決するためになされたものであり、その目的は、放送受信装置で受信した楽曲を、他の音楽ソースから、より容易に再取得するための放送受信装置を提供することにある。
【課題を解決するための手段】
【０００８】
本発明は、主音声信号に付加情報を重畳した放送波を受信する放送受信装置において、
前記放送波を受信し主音声信号を分離する同調手段と、主音声信号に重畳されている重畳信号をデコードし、楽曲識別データを抽出する多重デコード手段と、前記楽曲識別データの変化により楽曲の変化を検出する曲判定手段と、前記曲判定手段により楽曲の変化を検出した場合、受信した楽曲識別データに基づいて、接続可能な音楽ソースから音楽データを取得する楽曲再取得手段と、前記同調手段から出力された音楽信号と、前記楽曲再取得手段により取得した音楽データに基づく音楽信号とをそれぞれ用いて音声を出力する出力手段とを備えた。これによれば、放送波に重畳されている信号に含まれる楽曲識別データを用いて、音楽ソースから音楽データを再取得し、この音楽データを用いて出力手段で
音声を出力することができる。
【０００９】
さらに、本発明によれば、通信回線を介して送受信可能な通信手段を更に備え、前記楽曲再取得手段は、前記曲判定手段により楽曲の変化を検出した場合、受信した楽曲識別データを前記通信手段を介して音楽配信サイトから音楽データを取得する。これによれば、通信手段を介して音楽配信サイトから音楽データを取得することにより、音楽データを再取得できる。
【００１０】
さらに、本発明によれば、前記同調手段は、前記放送波の受信状況を出力し、前記放送受信装置は、前記同調手段から出力される受信状況から、楽曲の受信状況が悪くなったことを検出する受信状況判定手段をさらに備え、前記楽曲再取得手段は、前記受信状況判定手段により前記楽曲の受信状況が悪くなったことを検出した場合に、前記音楽ソースから音楽データを取得するための処理を行う。これによれば、受信状況が悪かった楽曲を再取得することができる。
【００１１】
さらに、本発明によれば、前記放送受信装置は、音楽データを記録する記録手段をさらに備え、前記同調手段からの音楽信号に基づいて音楽データを前記記録手段に記録する手段と、前記受信状況判定手段により前記楽曲の受信状況が悪くなったことを検出した場合に、前記楽曲再取得手段により前記音楽ソースから取得した音楽データを、前記記録手段に記録した音楽データと入れ換えて前記記録手段に記録する手段とをさらに備えた。これによれば、放送波により受信した音楽を記録できるとともに、受信状況が悪かった楽曲を再取得して、再取得した楽曲の音楽データを、先に放送波により受信して記録した音楽データと入れ換えることができる。
【００１２】
さらに、本発明によれば、前記放送受信装置は、ユーザからの指示を受け付ける入力手段をさらに備え、前記楽曲再取得手段は、前記入力手段によって入力されたユーザからの指示に従って前記音楽ソースから音楽データを取得するための処理を行う。これによれば、ユーザの希望に応じて楽曲を再取得できる。
【００１３】
本発明は、主音声信号に付加情報を重畳した放送波を受信する放送受信装置において、前記放送波を受信し主音声信号を分離するとともに前記放送波の受信状況を出力する同調手段と、主音声信号に重畳されている重畳信号をデコードし、楽曲識別データを抽出する多重デコード手段と、前記主音声信号と前記受信状況とを用いて曲間を検出することにより楽曲の変化を検出する手段と、前記楽曲の変化を検出した場合、前記楽曲の変化の検出前に受信した楽曲識別データに基づいて、接続可能な音楽ソースから音楽データを取得する楽曲再取得手段と、前記同調手段から出力された音楽信号と、前記楽曲再取得手段により取得した音楽データに基づく音楽信号とをそれぞれ用いて音声を出力する出力手段とを備えた。これによれば、曲間を検出することにより楽曲の変化を検出した場合に、放送波に重畳されている信号に含まれる楽曲識別データを用いて、音楽ソースから音楽データを再取得し、この音楽データを用いて出力手段で音声を出力することができる。
【発明の効果】
【００１４】
本発明によれば、放送された楽曲について、明瞭な状態で聴くことができる。
【発明を実施するための最良の形態】
【００１５】
（第１の実施形態）
以下、本発明を具体化した第１の実施形態を、図１〜図６を用いて説明する。本実施形態では、ＦＭ放送により送信されている音楽信号に同期して楽曲識別データとしてのタイトルやアーティスト名を送信してくるＦＭ多重放送をＦＭチューナで受信し、通信装置を通じてインターネット上の音楽配信サイトから該当する音楽データを取得する。
【００１６】
図１に示すように、放送受信装置２０は、同調手段としてのＦＭチューナ２１、多重デコード手段としてのＦＭ多重デコーダ２２、無音検出部２３、制御部２４、出力手段としての音声出力部２６、デコード処理部２７、表示部２８及び入力部２９を備えている。この放送受信装置２０は、放送受信装置２０内の通信Ｉ／Ｆ（通信手段）を介して通信装置４０と接続可能である。この通信装置４０は、インターネットを介して音楽配信サイト５０と接続可能である。
【００１７】
ＦＭチューナ２１は、ＦＭ多重放送を受信し、音声信号とＦＭコンポジット信号とに分離する。そして、ＦＭチューナ２１は、音声信号を音声出力部２６及び無音検出部２３に出力する。一方、ＦＭコンポジット信号については、ＦＭ多重デコーダ２２に出力する。更に、このＦＭチューナ２１は、受信電界強度を示すＳレベル信号を無音検出部２３と制御部２４とに出力する。
【００１８】
ＦＭ多重デコーダ２２は、ＦＭコンポジット信号をＦＭ多重データに変換して無音検出部２３及び制御部２４に出力する。ここで、ＦＭ多重データとはＦＭコンポジット信号から復号されたデータである。
【００１９】
無音検出部２３は、受信した放送の中で無音状態の検出を行う。無音状態を検出した場合、無音検出部２３は、後述する曲間判定を行い、曲間判定信号を制御部２４に出力する。なお、本実施形態では、曲間とは、楽曲と楽曲との間のことをいう。また、楽曲とは、１つのまとまった音楽をいい、本実施形態では、楽曲毎にタイトルが付されている。
【００２０】
制御部２４は、マイクロコンピュータ等で構成され、ＦＭチューナ２１、ＦＭ多重デコーダ２２、音声出力部２６を制御する。更に、制御部２４は、無音検出部２３からの曲間判定信号、ＦＭ多重デコーダ２２からのＦＭ多重データ、及びＦＭチューナ２１からのＳレベル信号を用いて曲判定を行うことにより曲判定手段として機能する。また、制御部２４は、通信Ｉ／Ｆ及び通信装置４０を介して音楽データの検索を行う楽曲再取得手段として機能する。さらに、制御部２４は、表示部２８を用いて情報の表示、入力部２９を介して入力されたデータの受け付け等を制御する。
【００２１】
音声出力部２６は、音声調整部やパワーアンプ等を備える。この音声出力部２６には、ＦＭチューナ２１からの音声信号や、音楽配信サイトからダウンロードした音楽データをデコード処理部２７によりデコードした音声信号が入力される。これらの信号について音声調整等を行い、スピーカから出力する。デコード処理部２７は、通信装置４０を介して受信した音楽データ（通信受信データ）のデコードを実行し、音声信号を音声出力部２６に出力する。
【００２２】
表示部２８は、液晶等の表示パネル等により構成されており、ＦＭ多重信号に含まれるデータの表示を行う。例えば、楽曲のタイトルやアーティスト名等を表示する。入力部２９は、キースイッチ等で構成され、ユーザの入力操作に用いられる。
【００２３】
また、本実施形態では、通信装置４０として、インターネット接続機能を備えた携帯電話機等を用いる。この通信装置４０は、インターネットを介して音楽配信サイト５０に接続される。
【００２４】
音楽配信サイト５０は、音楽データを管理するサイトである。この音楽配信サイト５０は、インターネットを介してＭＰ３ファイル等の音楽データを配信する。ＭＰ３ファイルは、音楽を高い圧縮率で圧縮できる技術であるＭＰ３により圧縮された音楽データを含むファイルである。
【００２５】
次に、本実施形態における動作について説明する。
ＦＭチューナ２１が受信した放送波は、音声信号、ＦＭコンポジット信号に分離される。ＦＭ多重デコーダ２２は、ＦＭコンポジット信号をＦＭ多重データとして制御部２４及び無音検出部２３に出力する。制御部２４は、ＦＭ多重データの中からタイトルやアーティスト名等を抽出し、表示部２８に表示させる。
【００２６】
この場合、図２に示すように、無音検出部２３は、音声信号、ＦＭ多重データ及びＳレベル信号を用いて曲間の検出を行う（ステップＳ１−１）。この曲間の検出は、以下に示す無音判定処理により行われる。
【００２７】
＜無音判定＞
ここで、無音判定処理について図３を用いて説明する。図３は、電界強度（信号レベル：Ｓレベル）の波形図、音楽信号の波形図及び曲間判定信号の波形図を示す。
【００２８】
この無音判定処理では、無音判定を行うためにＳレベル基準値と無信号判定レベルとを用いる。このＳレベル基準値は、電界強度を判定するためのしきい値である。無信号判定レベルは音楽信号が無信号であることを判定するためのしきい値である。音楽信号が一定期間以上無信号であって、Ｓレベル基準値より高ければ、曲間と判定される。
【００２９】
図３では、期間Ａ１と期間Ａ２において、音楽信号が一定期間以上無信号になっている。期間Ａ１ではＳレベルがＳレベル基準値より低い。従って、期間Ａ１は、曲間と判定しない。一方、期間Ａ２では、ＳレベルがＳレベル基準値より高い。従って、期間Ａ２は、曲間と判定する。
【００３０】
曲間の検出が行われるまで（ステップＳ１−１においてＹＥＳとなるまで）、無音検出部２３はこの無音判定処理を行う。
このようにして、図２に示すように曲間を検出した場合（ステップＳ１−１においてＹＥＳの場合）、無音検出部２３は、１曲分の音楽の受信を完了したかどうかの判定を行う（ステップＳ１−２）。この判定は、以下に示す曲判定処理により行う。
【００３１】
＜曲判定（１）＞
ＦＭ多重放送においては、新たな楽曲の送信の開始と同時に、新たな楽曲のタイトルやアーティスト名等を含むＦＭ多重信号が送信される。ＦＭ多重信号に含まれる楽曲のタイトルやアーティスト名が変化した場合に、楽曲の終了が判定される。
【００３２】
図４は、音楽信号及びＦＭ多重信号のタイムチャートを示す。ここでは、ＦＭ多重信号に含まれるタイトルが「タイトル（１）"水色の雨"」から「タイトル（２）"ポーラスタ
ー"」に変化した時点を楽曲が終了した時点（楽曲終了時点Ｂ）と判定する。図４に示す
ように、この楽曲終了時点Ｂの前後において、音楽信号が無信号の状態となる。
【００３３】
＜曲判定（２）＞
電波の受信状況が悪く、ＦＭ多重信号を受信できない期間があった場合、ＦＭ多重信号を受信できるようになったときにＦＭ多重信号の楽曲のタイトルが変化している場合、楽曲の終了が判定される。
【００３４】
具体例を、図５に示すＳレベルの波形図とＦＭ多重信号とを用いて説明する。ここでは、期間ＬＳにおいて、電界強度が弱くＦＭ多重信号が受信できない。この場合、音楽の受信状態も悪いため、受信状態が悪いことを記録する。そして、ＦＭ多重信号を受信できるようになったときに、タイトルが「タイトル（１）"水色の雨"」から「タイトル（２）"
ポーラスター"」に変化しているため、この時点を楽曲が終了した時点（楽曲終了時点Ｂ
）と判定する。
【００３５】
＜曲判定（３）＞
ＦＭ多重信号の楽曲のタイトルやアーティスト名が変化した前後において、無音を判定した時点を楽曲終了時点と判定する。
【００３６】
図６は、この場合について説明するためのＳレベルの波形図と音楽信号の波形図とＦＭ多重信号とを示す。ここでは、ＦＭ多重信号で送信されてくるタイトルが、期間Ｃ１におけるいずれかの時点で「タイトル（１）"水色の雨"」から「タイトル（２）"ポーラスタ
ー"」に変化する。ＦＭ多重信号で送信されてくるタイトルの変化を検出した前後の一定
時間内に音楽信号が一定期間無信号であり、ＳレベルがＳレベル基準値より高い（電界強度が強い）ことにより、この時点が楽曲が終了した時点と判定される。
【００３７】
以上の曲判定により、１曲分の音楽の受信が完了したことを判別できる。
１曲分の音楽の受信を完了した場合（ステップＳ１−２においてＹＥＳの場合）、無音検出部２３は、曲間判定信号を制御部２４に出力する。なお、１曲分の受信が完了しなかった場合（ステップＳ１−２においてＮＯの場合）、ステップＳ１−１の処理に戻る。
【００３８】
曲間判定信号を受けた制御部２４は、放送された楽曲のタイトル等の特定を行う（ステップＳ１−３）。ここでは、ＦＭ多重データから楽曲のタイトルやアーティスト名を抽出することにより、楽曲のタイトル等の特定を行う。
【００３９】
放送された楽曲のタイトル等を特定できた場合（ステップＳ１−３においてＹＥＳの場合）、制御部２４は、ＦＭ多重データの中から抽出したタイトルやアーティスト名を表示部２８に表示させる。さらに、制御部２４は、これらの楽曲について、音楽配信サイト５０からのダウンロードの希望の有無の選択を促すための表示を表示部２８に表示させる。この表示に従って、ユーザは入力部２９を用いて、ダウンロード実行の選択を入力する。なお、放送された楽曲のタイトル等を特定できなかった場合（ステップＳ１−３においてＮＯの場合）やダウンロードが指示されなかった場合（ステップＳ１−４においてＮＯの場合）は、ステップＳ１−１の処理に戻る。
【００４０】
ダウンロードが指示された場合（ステップＳ１−４においてＹＥＳの場合）、放送受信装置２０は、特定されたタイトルの音楽データの検索を、通信装置４０を介して実行する（ステップＳ１−５）。具体的には、制御部２４は、通信装置４０を介して音楽配信サイト５０に検索指示を送信する。この検索指示には、特定されたタイトル及びアーティスト名に関するデータを含む。該当する音楽データが見つかった場合（ステップＳ１−６においてＹＥＳの場合）、通信装置４０は、音楽配信サイト５０から音楽データをダウンロードし、この音楽データをデコード処理部２７に出力する。この場合、デコード処理部２７は、通信装置４０から受信した音楽データをデコード処理部２７中のメモリに記録し、これを音声信号に変換し、音声出力部２６を通じてスピーカに出力する（ステップＳ１−７）。そして、ステップＳ１−１の処理に戻る。なお、該当する音楽データが見つからなかった場合（ステップＳ１−６においてＮＯの場合）は、ステップＳ１−１の処理に戻る。
【００４１】
以上、本実施形態によれば、以下に示す効果を得ることができる。
（１）上記実施形態では、放送受信装置２０は、ＦＭ多重放送を受信し受信状況を出力するＦＭチューナ２１と、ＦＭ多重デコーダ２２と、音楽信号が無信号でＳレベルがＳレベル基準値より低い場合に曲間と判定する無音検出部２３とを備える。また、放送受信装置２０は、無音が検出された場合に、タイトルやアーティストの変化を検出し楽曲の区別をする曲判定手段を備えた制御部２４を備える。そして、制御部２４は、楽曲の終了時点
を判定できた場合、先に受信したタイトルやアーティスト等のデータを通信装置４０に出力し、この通信装置４０を介して音楽配信サイト５０から音楽データをダウンロードする。そして、この音楽データをデコード処理部２７によりデコードし、音声出力部２６により音楽を再生する。これによれば、放送波に重畳されている信号に含まれる楽曲のタイトルやアーティスト等の情報を用いて、音楽配信サイト５０から音楽データを再取得し、この音楽データを用いて音楽を再生できる。
【００４２】
（第２の実施形態）
次に、ＦＭ多重放送の音楽信号をエンコードして記録するとともに、再取得した楽曲の音楽データを記録するようにしたシステムを図７〜図９を用いて説明する。本実施形態の放送受信装置６０の構成は、記録／再生部６５を備え、デコード処理部２７の代わりにエンコード／デコード処理部６７を備えたこと以外は、上記第１の実施形態における放送受信装置２０の構成と同様である。
【００４３】
ＦＭチューナ２１からの音声信号は、エンコード／デコード処理部６７によりエンコードされる。記録／再生部６５は、このエンコードされた音楽データを制御部２４から出力される記録制御信号に従って記録する。また、記録／再生部６５は、通信装置４０が受信した音楽データ（通信受信データ）を記録する。そして、記録された音楽データにより、音楽を再生する。エンコード／デコード処理部６７は、ＦＭチューナ２１からの音声信号をエンコードしたり、通信装置４０からの通信受信データ（音楽データ）や記録／再生部６５に記録された音楽データをデコードして音声信号を音声出力部２６に出力する。
【００４４】
制御部２４は、上記第１の実施形態の機能に加えて、無音検出部２３からの曲間判定信号、ＦＭ多重デコーダ２２からのＦＭ多重データ、及びＦＭチューナ２１からのＳレベル信号を用いて受信状況の判定を行うことにより受信状況判定手段として機能する。また、音楽配信サイト５０からダウンロードした音楽データの記録に関し、「入れ換え」、「新規記録」、「再生のみ」に関する設定情報が制御部２４内のメモリに記録されている。ここで、「入れ換え」は、ＦＭ多重放送により放送された楽曲の音楽データと音楽配信サイト５０からダウンロードした音楽データとを入れ換える設定に用いる。また、「新規記録」は、ダウンロードした音楽データをＦＭ多重放送により放送された楽曲の音楽データとは別に新規に記録する設定に用いる。「再生のみ」は、ダウンロードした音楽データを記録／再生部６５に記録せずに再生のみ行う設定に用いる。また、制御部２４内のメモリには、受信状況フラグが記録される。この受信状況フラグは、後述するように、受信状態が悪い場合に記録される。
【００４５】
その他の構成は、上記第１の実施形態の場合と同様であるため、説明を省略する。
次に、本実施形態における動作について説明する。
ＦＭチューナ２１は、ＦＭ多重放送を受信し、音声信号とＦＭコンポジット信号とに分離する。そして、ＦＭチューナ２１は、音声信号を音声出力部２６及び無音検出部２３に出力する。一方、ＦＭコンポジット信号については、ＦＭ多重デコーダ２２に出力する。更に、このＦＭチューナ２１は、受信電界強度を示すＳレベル信号を無音検出部２３と制御部２４とに出力する。
【００４６】
ＦＭ多重デコーダ２２は、ＦＭコンポジット信号をＦＭ多重データに変換して無音検出部２３及び制御部２４に出力する。制御部２４は、このＦＭ多重データの中からタイトルやアーティスト名等を抽出し、表示部２８に表示させる。
【００４７】
図８に示すように、まず、制御部２４が、受信状況の初期設定を行う（ステップＳ２−１）。具体的には、受信状況フラグをクリアする。
受信状況が悪く、ＦＭチューナ２１で受信したＦＭ放送波の電界強度が弱い場合（ステ
ップＳ２−２においてＹＥＳの場合）、制御部２４は、受信状況フラグを記録する（ステップＳ２−３）。この処理を具体的に以下に説明する。
【００４８】
前の楽曲の終了時点から楽曲の終了時点の間に、ＳレベルがＳレベル基準値より低い（電界強度が弱い）状況が発生した場合、受信状況が悪いと判定する。
図９は、受信状況判定を説明するためのＳレベルの波形図と音楽信号の波形図とＦＭ多重信号とを示す。ここでは、前の楽曲の楽曲終了時点Ｂ１と楽曲終了時点Ｂ２との間に、期間ＬＳにおいて、ＳレベルがＳレベル基準値より低い（電界強度が弱い）状況が発生している。このようにＳレベルがＳレベル基準値より低い状況では、音楽信号の波形図で示すように、ノイズや音切れが発生し、受信状況が悪いと判定する。このような場合に、制御部２４は受信状況フラグを記録する。なお、ＳレベルがＳレベル基準値より低い（電界強度が弱い）状況が発生しなければ（ステップＳ２−２においてＮＯの場合）、そのままステップＳ２−４に移る。
【００４９】
そして、無音検出部２３が、曲間を検出した場合（ステップＳ２−４においてＹＥＳの場合）、無音検出部２３は、１曲分の音楽の受信を完了したかどうかの判定を行う（ステップＳ２−５）。この判定は、上記第１の実施形態の場合と同様にして行う。なお、曲間を検出していない場合（ステップＳ２−４においてＮＯの場合）や、１曲分の音楽の受信を完了していない場合（ステップＳ２−５においてＮＯの場合）は、ステップＳ２−２の処理に戻る。
【００５０】
１曲分の音楽の受信を完了した場合（ステップＳ２−５においてＹＥＳの場合）、無音検出部２３は、曲間判定信号を制御部２４に出力する。そして、制御部２４が記録／再生部６５を制御して、記録／再生部６５は、入力された記録制御信号に従ってエンコード／デコード処理部６７を介して入力された音声データを記録する（ステップＳ２−６）。
【００５１】
次に、制御部２４は、受信状況の判定を行う（ステップＳ２−７）。具体的には、受信状況フラグが記録されている場合、受信を完了した楽曲の受信状況が悪かったこととなる。この場合（ステップＳ２−７においてＹＥＳの場合）、制御部２４は、放送された楽曲のタイトル等の特定を行う（ステップＳ２−８）。具体的には、制御部２４が、ＦＭ多重デコーダ２２から出力されたＦＭ多重データ中の楽曲のタイトルやアーティスト名を抽出することにより、放送された楽曲のタイトル等を特定する。なお、受信状況フラグが記録されていない場合（ステップＳ２−７においてＮＯの場合）、すなわち受信状況が悪くなかった場合、ステップＳ２−１の処理に戻る。
【００５２】
放送された楽曲のタイトル等を特定できた場合（ステップＳ２−８においてＹＥＳの場合）、放送受信装置６０は、通信装置４０を介して、特定されたタイトルの音楽データの検索を実行する（ステップＳ２−９）。具体的には、制御部２４が、受信したタイトル及びアーティスト名を含む通信装置制御信号を通信装置４０に出力し、通信装置４０に音楽配信サイト５０の検索を指示する。この通信装置制御信号を受けた通信装置４０は、インターネット上の音楽配信サイト５０に接続し、通信装置制御信号に含まれるタイトル及びアーティスト名を音楽配信サイト５０に送信して、該当する楽曲を検索する。なお、放送された楽曲のタイトル等を特定できなかった場合（ステップＳ２−８においてＮＯの場合）、ステップＳ２−１の処理に戻る。
【００５３】
該当する音楽データが見つかった場合（ステップＳ２−１０においてＹＥＳの場合）、通信装置４０は、音楽配信サイト５０から音楽データをダウンロードし、この音楽データを放送受信装置６０に返す。この場合、放送受信装置６０は、通信装置４０から受信した音楽データを記録／再生部６５に記録する（ステップＳ２−１１）。ここで、制御部２４内のメモリに「入れ換え」に関する設定情報が記録されている場合、記録／再生部６５は
、先に記録したＦＭ多重放送により放送された楽曲の音楽データを削除して、音楽配信サイト５０からダウンロードした音楽データを記録する。一方、「新規記録」に関する設定情報が記録されている場合、記録／再生部６５は、先に記録したＦＭ多重放送により放送された楽曲の音楽データとは別に、音楽配信サイト５０からダウンロードした音楽データを記録する。なお、「再生のみ」に関する設定情報が記録されている場合、制御部２４からの通信装置４０に送信された通信制御信号に従って、通信装置４０から音楽データがエンコード／デコード処理部６７に送信される。エンコード／デコード処理部６７が音楽データをデコードして音声信号に変換し、音声出力部２６を通じてスピーカに出力する。そして、ステップＳ２−１の処理に戻る。なお、該当する音楽データが見つからなかった場合（ステップＳ２−１０においてＮＯの場合）、ステップＳ２−１の処理に戻る。
【００５４】
以上、本実施形態によれば、上記（１）の効果に加えて、以下に示す効果を得ることができる。
（２）上記実施形態では、放送受信装置６０は、ＦＭチューナ２１から出力されるＳレベル信号を用いて、楽曲の受信状況が悪いことを検出する。そして、受信状況が悪いことを検出した場合に、楽曲再取得のための処理を行う。これによれば、受信状況が悪かった楽曲を再取得することができる。
【００５５】
（３）上記実施形態では、ＦＭ多重放送により受信した音楽をエンコード／デコード処理部６７によりエンコードして記録／再生部６５に記録し、受信状況が悪いことを検出した場合に通信装置４０を用いて取得した音楽データを、記録／再生部６５に記録する。このとき、「入れ換え」に関する設定情報が記録されている場合、通信装置４０を介して取得した音楽データを、ＦＭ多重放送により記録した音楽データと入れ換える。これによれば、ＦＭ多重放送により受信した音楽をエンコードして記録できるとともに、受信状況が悪かった楽曲について、ダウンロードした音楽データにより入れ換えることができる。従って、ＦＭ多重放送の受信状況が悪かった場合にも、ノイズや音切れのないクリアな状態の楽曲を記録、再生できる。
【００５６】
（第３の実施形態）
次に、ユーザの指示に従って、ＦＭ多重放送による音楽データの記録や、音楽配信サイト５０からの音楽データのダウンロードを行うようにしたシステムを、図１０を用いて説明する。本実施形態のシステム構成は、上記第２の実施形態の場合と同様であるため、説明を省略する。
【００５７】
次に、本実施形態における動作について説明する。
ＦＭチューナ２１は、ＦＭ多重放送を受信し、音声信号とＦＭコンポジット信号とに分離する。そして、ＦＭチューナ２１は、音声信号を音声出力部２６及び無音検出部２３に出力する。一方、ＦＭコンポジット信号については、ＦＭ多重デコーダ２２に出力する。更に、このＦＭチューナ２１は、受信電界強度を示すＳレベル信号を無音検出部２３と制御部２４とに出力する。
【００５８】
ＦＭ多重デコーダ２２は、ＦＭコンポジット信号をＦＭ多重データに変換して無音検出部２３及び制御部２４に出力する。制御部２４は、このＦＭ多重データの中からタイトルやアーティスト名等を抽出し、表示部２８に表示させる。
【００５９】
図１０に示すように、まず、制御部２４が、受信状況の初期設定を行う（ステップＳ３−１）。具体的には、受信状況フラグをクリアする。
受信状況が悪く、ＦＭチューナ２１で受信したＦＭ放送波の電界強度が弱い場合（ステップＳ３−２においてＹＥＳの場合）、制御部２４は、受信状況フラグを記録する（ステップＳ３−３）。このステップＳ３−１〜ステップＳ３−３の処理は、上記第２の実施形
態のステップＳ２−１〜ステップＳ２−３の処理と同様に行う。
【００６０】
そして、無音検出部２３が曲間を検出した場合（ステップＳ３−４においてＹＥＳの場合）、無音検出部２３は、１曲分の音楽の受信を完了したかどうかの判定を行う（ステップＳ３−５）。この判定は、上記第１，第２の実施形態の場合と同様にして行う。なお、曲間を検出しない場合（ステップＳ３−４においてＮＯの場合）や、１曲分の音楽の受信を完了していない場合（ステップＳ３−５においてＮＯの場合）は、ステップＳ３−２の処理に戻る。
【００６１】
１曲分の音楽の受信を完了した場合（ステップＳ３−５においてＹＥＳの場合）、無音検出部２３は、曲間判定信号を制御部２４に出力する。
一方、楽曲の終了判定までに入力部２９により、ユーザの操作により「受信した楽曲を記録する」が選択入力された場合、制御部２４は、制御部２４内のメモリにＦＭ受信音楽記録フラグを記録する。そして、受信した楽曲の記録が指示された場合（ステップＳ３−６においてＹＥＳの場合）、制御部２４は、記録／再生部６５にＦＭ記録制御信号を出力し、ＦＭ多重放送により受信した楽曲の音楽データを記録／再生部６５に記録する（ステップＳ３−７）。具体的には、制御部２４は、曲間判定信号が入力されたときにＦＭ受信音楽記録フラグが記録されている場合、エンコード／デコード処理部６７を制御して受信した楽曲の音楽をエンコードさせ、エンコードされた音声データを記録／再生部６５に記録する。そして、ＦＭ受信音楽記録フラグをクリアする。
【００６２】
なお、楽曲の終了判定までに放送された楽曲の記録がユーザにより指示されなかった場合（ステップＳ３−６においてＮＯの場合）、ＦＭ多重放送により放送された楽曲の音楽データの記録は行わない。
【００６３】
次に、制御部２４は、受信状況の判定を行う（ステップＳ３−８）。具体的には、受信状況フラグが記録されている場合、受信を完了した楽曲の受信状況が悪かったこととなる。この場合（ステップＳ３−８においてＹＥＳの場合）、制御部２４は、放送された楽曲のダウンロードが指示されたかどうかを判定する（ステップＳ３−９）。具体的には、楽曲の終了判定までに入力部２９により、ユーザの操作により「放送された楽曲をダウンロードする」が選択入力された場合、制御部２４は、制御部２４内のメモリにダウンロードフラグを記録する。なお、受信状況フラグが記録されていない場合（ステップＳ３−８においてＮＯの場合）、ステップＳ３−１の処理に戻る。
【００６４】
制御部２４は、曲間判定信号が入力されたときにダウンロードフラグが記録されている場合（ステップＳ３−９においてＹＥＳの場合）、制御部２４は、放送された楽曲のタイトル等の特定を行う（ステップＳ３−１０）。具体的には、制御部２４が、ＦＭ多重デコーダ２２から出力されたＦＭ多重データ中の楽曲のタイトルやアーティスト名を抽出することにより、放送された楽曲のタイトル等を特定する。
【００６５】
放送された楽曲のタイトル等を特定できた場合（ステップＳ３−１０においてＹＥＳの場合）、放送受信装置６０は、通信装置４０を介して、特定されたタイトルの音楽データの検索を実行する（ステップＳ３−１１）。具体的には、制御部２４が、受信したタイトル及びアーティスト名を含む通信装置制御信号を通信装置４０に出力し、通信装置４０に音楽配信サイト５０の検索を指示する。この通信装置制御信号を受けた通信装置４０は、インターネット上の音楽配信サイト５０に接続し、通信装置制御信号に含まれるタイトル及びアーティスト名を音楽配信サイト５０に送信して、該当する音楽を検索する。なお、放送された楽曲のダウンロードが指示されなかった場合（ステップＳ３−９においてＮＯの場合）や、放送された楽曲のタイトル等を特定できなかった場合や（ステップＳ３−１０においてＮＯの場合）は、ステップＳ３−１の処理に戻る。
【００６６】
該当する音楽データが見つかった場合（ステップＳ３−１２においてＹＥＳの場合）、通信装置４０は、音楽配信サイト５０から音楽データをダウンロードし、この音楽データを放送受信装置６０に返す。この場合、放送受信装置６０は、通信装置４０から受信した音楽データを記録／再生部６５に記録する（ステップＳ３−１３）。ここで、「入れ換え」に関する設定情報が記録されている場合、記録／再生部６５は、先に記録したＦＭ多重放送により放送された楽曲の音楽データを削除して、音楽配信サイト５０からダウンロードした音楽データを記録する。一方、「新規記録」に関する設定情報が記録されている場合、記録／再生部６５は、先に記録したＦＭ多重放送により放送された楽曲の音楽データとは別に、音楽配信サイト５０からダウンロードした音楽データを記録する。なお、「再生のみ」に関する設定情報が記録されている場合、制御部２４からの通信装置４０に送信された通信制御信号に従って、通信装置４０から音楽データがエンコード／デコード処理部６７に送信される。エンコード／デコード処理部６７が音楽データをデコードして音声信号に変換し、音声出力部２６を通じてスピーカに出力する。そして、ステップＳ３−１の処理に戻る。なお、該当する音楽データが見つからなかった場合（ステップＳ３−１２においてＮＯの場合）、ステップＳ３−１の処理に戻る。
【００６７】
以上、本実施形態によれば、上記（１）〜（３）の効果に加えて、以下に示す効果を得ることができる。
（４）上記実施形態では、ユーザからの指示に従ってＦＭ多重放送による音楽データを記録するとともに、受信状況が悪かった場合、ユーザの指示に従って音楽配信サイト５０から音楽データを取得し、記録できる。これによれば、ユーザが希望する場合に、音楽データを記録でき、さらに、受信状況が悪かった場合には、ユーザが希望する場合には、音楽データを再取得できる。
【００６８】
なお、上記実施形態は、以下の態様に変更してもよい。
○  上記第１〜第３の実施形態では、放送受信装置２０又は６０に通信装置４０を接続して、通信装置４０を用いて音楽データの再取得を行った。これに代えて、放送受信装置２０又は６０と通信装置４０とを一体化した放送受信装置を用いてもよい。
【００６９】
○  上記第１〜第３の実施形態では、コンポジット信号をデコードしたデータから楽曲のタイトルやアーティスト名を抽出したが、これに限られるものではなく、楽曲のタイトルやアーティスト名は、放送波に重畳される信号から取得できればよい。
【００７０】
○  上記第１〜第３の実施形態では、楽曲識別データとして楽曲のタイトルやアーティスト名に関するデータを用いたが、これに限られるものではなく、楽曲の再取得の際に楽曲を特定できればよい。
【００７１】
○  上記第１〜第３の実施形態では、インターネット上の音楽配信サイト５０から音楽データをダウンロードしたが、音楽データを提供する音楽ソースはこれに限られるものではない。例えば、放送受信装置２０又は６０に接続されたハードディスクやＣＤから読み出した音楽データを記録してもよい。また、ハードディスクやＣＤを用いて検索を行ない、これらに記録されていない場合にインターネット上の音楽配信サイト５０から音楽データをダウンロードしてもよい。
【００７２】
○  上記第１〜第３の実施形態では、放送波の受信状況を電界強度に対応するＳレベル信号を用いて判定したが、放送波の受信状況の判定は、これに限られるものではない。例えば、パケットエラーを検出した場合に、受信状況が悪かったものと判定してもよい。
【図面の簡単な説明】
【００７３】
【図１】第１の実施形態のシステムの構成を説明するブロック図。
【図２】第１の実施形態の処理手順の説明図。
【図３】無音判定の説明図。
【図４】曲判定の説明図。
【図５】曲判定の説明図。
【図６】曲判定の説明図。
【図７】第２の実施形態のシステムの構成を説明するブロック図。
【図８】第２の実施形態の処理手順の説明図。
【図９】受信状況判定の説明図。
【図１０】第３の実施形態の処理手順の説明図。
【符号の説明】
【００７４】
２０，６０…放送受信装置、２１…同調手段としてのＦＭチューナ、２２…多重デコード手段としてのＦＭ多重デコーダ、２３…無音検出部、２４…曲判定手段及び楽曲再取得手段としての制御部、２６…出力手段としての音声出力部、２９…入力手段としての入力部、４０…通信装置、５０…音楽配信サイト、６５…記録手段としての記録／再生部。
【図１】
2006128738.tif 000003
【図２】
2006128738.tif 000004
【図３】
2006128738.tif 000005
【図４】
2006128738.tif 000006
【図５】
2006128738.tif 000007
【図６】
2006128738.tif 000008
【図７】
2006128738.tif 000009
【図８】
2006128738.tif 000010
【図９】
2006128738.tif 000011
【図１０】
2006128738.tif 000012